(57)【要約】【課題】電極から発生する漏洩電波が周囲に拡散して電子機器や人体へ悪影響を及ぼすことを防止できる高周波温熱治療装置を提供する。【解決手段】高周波温熱治療装置１は、患者を乗せる寝台１０と、寝台１０を出し入れ可能な開口部３１ａを有するガントリ３０と、開口部３１ａを挟んでガントリ３０に支持される一対の円盤電極３７，４７と、を備え、一対の円盤電極３７，４７間に高周波電力を印加し、誘電加熱によって患部１０１を温熱治療するものであって、寝台１０全体をドーム状に覆って円盤電極３７，４７からの漏洩電波を遮蔽する遮蔽部材７０を備えている。【選択図】図４
2018126433.tif 000002
【特許請求の範囲】
【請求項１】
患者（１００）を乗せる寝台（１０）と、前記寝台を出し入れ可能な開口部（３１ａ）を有するガントリ３０と、前記開口部を挟んで前記ガントリに支持される一対の電極（３７，４７）と、を備え、前記一対の電極間に高周波電力を印加し、誘電加熱によって患部（１０１）を温熱治療する高周波温熱治療装置において、
前記寝台全体をドーム状に覆って前記電極からの漏洩電波を遮蔽する遮蔽部材（７０）を備えた高周波温熱治療装置。
【請求項２】
前記遮蔽部材は、非使用時にコンパクトな形状に変形可能である請求項１に記載の高周波温熱治療装置。
【請求項３】
前記ガントリは、前記遮蔽部材を変形させた状態で収納可能な収納部（３２）を有する請求項２に記載の高周波温熱治療装置。
【請求項４】
前記収納部は、前記ガントリの前記開口部の径外側に形成された軸方向視で円弧状の内部空間であり、
前記遮蔽部材は、非使用時に軸方向視で円弧状且つ軸方向の長さを縮めた形状に変形させた状態で前記収納部に収納可能である請求項３に記載の高周波温熱治療装置。
【請求項５】
前記遮蔽部材は、折り畳み可能な蛇腹構造を有し、
前記ガントリは、前記遮蔽部材を折り畳んだ状態で前記収納部に収納可能である請求項３又は４に記載の高周波温熱治療装置。
【請求項６】
前記遮蔽部材は、金網（７１）を有して構成されている請求項１乃至５のいずれか一項に記載の高周波温熱治療装置。
【発明の詳細な説明】
【技術分野】
【０００１】
本発明は、円盤電極間に高周波電力を印加し、誘電加熱によって患部を温熱治療する高周波温熱治療装置に関する。
【背景技術】
【０００２】
従来、一対の円盤電極間に患部を挟み、円盤電極間に周波数１ＭＨｚ〜１００ＭＨｚの高周波電力を供給してがん患部に高周波電磁界を照射し、誘電加熱により患部を加温することで、がん治療を行う高周波温熱治療装置が知られている（例えば、特許文献１参照。）。
【先行技術文献】
【特許文献】
【０００３】
【特許文献１】特開平１０−２４１１２号公報
【発明の概要】
【発明が解決しようとする課題】
【０００４】
しかしながら、従来の高周波温熱治療装置では、電極から発生する漏洩電波が周囲の電子機器や治療対象の患者以外の人体に悪影響を及ぼすおそれがあり、周囲に拡散する漏洩電波の低減を図る必要があるという課題があった。
【０００５】
本発明は、上述した課題に鑑みてなされたものであり、電極から発生する漏洩電波が周囲に拡散して電子機器や人体へ悪影響を及ぼすことを防止できる高周波温熱治療装置を提供することを目的とする。
【課題を解決するための手段】
【０００６】
上記目的を達成するためになされた請求項１に記載の発明は、患者（１００）を乗せる寝台（１０）と、前記寝台を出し入れ可能な開口部（３１ａ）を有するガントリ（３０）と、前記開口部を挟んで前記ガントリに支持される一対の電極（３７，４７）と、を備え、前記一対の電極間に高周波電力を印加し、誘電加熱によって患部（１０１）を温熱治療する高周波温熱治療装置において、前記寝台全体をドーム状に覆って前記電極からの漏洩電波を遮蔽する遮蔽部材（７０）を備えている。
【０００７】
この構成によれば、遮蔽部材が寝台全体をドーム状に覆って電極からの漏洩電波を遮蔽するので、電極から発生する漏洩電波が周囲に拡散して電子機器や人体へ悪影響を及ぼすことを防止できるという効果を奏する。
【０００８】
請求項２に記載の発明は、前記遮蔽部材は、非使用時にコンパクトな形状に変形可能である。
【０００９】
この構成によれば、遮蔽部材をコンパクトな形状に変形させることで、非使用時に遮蔽部材が邪魔にならないという効果を奏する。
【００１０】
請求項３に記載の発明は、前記ガントリは、前記遮蔽部材を変形させた状態で収納可能な収納部（３２）を有する。
【００１１】
この構成によれば、遮蔽部材をコンパクトな形状に変形させた状態で、ガントリの収納部に収納することができるという効果を奏する。
【００１２】
請求項４に記載の発明は、前記収納部は、前記ガントリの前記開口部の径外側に形成された軸方向視で円弧状の内部空間であり、前記遮蔽部材は、非使用時に軸方向視で円弧状且つ軸方向の長さを縮めた形状に変形させた状態で前記収納部に収納可能である。
【００１３】
この構成によれば、ガントリにおいて収納部を省スペースで設けることができると共に、遮蔽部材を非使用時に軸方向視で円弧状且つ軸方向の長さを縮めたコンパクトな形状に変形させた状態で、ガントリの収納部に収納することができるという効果を奏する。
【００１４】
請求項５に記載の発明は、前記遮蔽部材は、折り畳み可能な蛇腹構造を有し、前記ガントリは、前記遮蔽部材を折り畳んだ状態で前記収納部に収納可能である。
【００１５】
この構成によれば、遮蔽部材が蛇腹構造を有するので、非使用時に折り畳んでコンパクトな形状に変形させることができ、その折り畳んだ状態でガントリの収納部に省スペースで収納することができるという効果を奏する。
【００１６】
請求項６に記載の発明は、前記遮蔽部材は、金網（７１）を有して構成されている。
【００１７】
この構成によれば、遮蔽部材が金網を有して構成されているので、簡単な構造で漏洩電波を遮蔽することができると共に、操作者が寝台上の患者の様子を観察したり患者と会話したりする際に支障が無いという効果を奏する。
【図面の簡単な説明】
【００１８】
【図１】本発明の実施形態の高周波温熱治療装置の概略構成を示す外観図である。
【図２】患者を治療中の高周波温熱治療装置を図１のII線矢視にて遮蔽部材を省略して示す図である。
【図３】高周波温熱治療装置の電気的回路構成を示すブロック図である。
【図４】遮蔽部材を伸ばした状態を示す図２相当の説明図である。
【図５】遮蔽部材を伸ばす途中又は縮める途中の状態を示す図２相当の説明図である。
【図６】遮蔽部材をガントリの収納部内に収納した状態を示す図２相当の説明図である。
【発明を実施するための形態】
【００１９】
以下、本発明を具体化した高周波温熱治療装置の実施形態について説明する。
【００２０】
まず、本実施形態の高周波温熱治療装置１の構成について、図１乃至図６を参照しつつ説明する。図１は、高周波温熱治療装置１の概略構成を示す外観図、図２は、患者を治療中の高周波温熱治療装置１を図１のII線矢視にて遮蔽部材７０を省略して示す図、図３は、高周波温熱治療装置１の電気的回路構成を示すブロック図、図４は、遮蔽部材７０を伸ばした状態を示す図２相当の説明図、図５は、遮蔽部材７０を伸ばす途中又は縮める途中の状態を示す図２相当の説明図、図６は、遮蔽部材７０をガントリ３０の収納部３２内に収納した状態を示す図２相当の説明図である。
【００２１】
高周波温熱治療装置１は、図１等に示すように、寝台１０と、ガントリ３０と、高周波発生装置５０と、コンソール６０と、遮蔽部材７０とを備えて構成される。尚、図１は、遮蔽部材７０がガントリ３０の収納部３２内に収納された状態を示している。
【００２２】
寝台１０は、治療対象の患者が横臥する寝台部であって、水平にスライド移動可能に構成され、ガントリ３０の開口部３１ａ内を出し入れするようになっている。
【００２３】
ガントリ３０は、患者の生体１００の患部１０１に高周波電力を照射する装置であって、本体３１中央に寝台１０を出し入れ可能な円形の開口３１ａが設けられている。また、ガントリ３０は、開口部３１ａの径外側に円弧状に開口する空間である収納部３２が形成されており、遮蔽部材７０を収納可能となっている。ガントリ３０は、開口部３１ａを挟む上下に一対の電極軸としての上部電極軸３４，下部電極軸３５を備えると共に、これらに着脱自在に装着される一対の電極アタッチメント３６，４６を備えている。
【００２４】
すなわち、開口部３１ａ内側面の最上部において、絶縁材からなる支持部３３を貫通して金属製の上部電極軸３４が下向きに突設されている。また、開口部３１ａ内側面の最下部において、金属製の下部電極軸３５が上部電極軸３４と対向するように上向きに突設されている。上部電極軸３４及び下部電極軸３５は、ともに中空円筒状に形成され、中空内部には冷却パッド３８又は冷却パッド４８内に冷却水を循環させるための図示しない冷却水供給管と冷却水排出管とが挿通されている。また、ガントリ３０は、開口３２を囲む外周側で周方向移動可能な回転部（図示せず）を内蔵しており、上部電極軸３４を支持する支持部３３は、その回転部において径方向に伸縮可能に設けられている。
【００２５】
上部電極アタッチメント３６は、上部電極軸３４に着脱可能に装着される電極アタッチメントであって、円盤電極３７と、冷却パッド３８とを備えている。
【００２６】
円盤電極３７は、円盤状を呈する電極板であって、下面は冷却パッド３８で覆われている。円盤電極３７は、中心に係合穴３７ａが形成されており、この係合穴３７ａに上部電極軸３４が挿入され且つ係合することによって、上部電極アタッチメント３６が上部電極軸３４に装着される。
【００２７】
冷却パッド３８は、ウレタンフィルム等の柔軟性のある樹脂材料等からなるドーム状部材であって、内部を冷却水が循環するようになっている。
【００２８】
下部電極アタッチメント４６は、下部電極軸３５に着脱可能に装着される電極アタッチメントであって、円盤電極４７と、冷却パッド４８とを備えている。円盤電極４７は、円盤状を呈する電極板であって、上面は冷却パッド４８で覆われている。円盤電極４７及び冷却パッド４８は、それぞれ円盤電極３７、冷却パッド３８と同様の物であるので、詳細説明を省略する。尚、以下の説明において、円盤電極３７，４７を単に電極３７，４７とも称する。
【００２９】
尚、上部電極アタッチメント３６及び下部電極アタッチメント４６は、円盤電極３７、４７の直径（電極径φ）の異なる複数種類が用意されており、治療部位に適したサイズの物を選択して使用される。
【００３０】
高周波発生装置５０は、一対の円盤電極３７，４７に印加される数ＭＨｚ（例えば、８ＭＨｚ）の高周波を発生する装置である。高周波発生装置５０は、図４のブロック図に示すように、電源回路５１と、高周波発生回路５２と、整合回路５３と、高周波電力計５４と、制御回路５５とを備えて構成される。
【００３１】
電源回路５１は、高周波発生回路５２に電源を供給する電気回路である。電源回路５１は、商用電源を変圧及び整流して所定電圧の直流電源を生成し、生成された直流電源を高周波発生回路５２に供給する。
【００３２】
高周波発生回路５２は、自励発振方式により数ＭＨｚ（例えば、８ＭＨｚ）の高周波を発生する電気回路であって、数１０Ｗ〜数１００Ｗから１５００Ｗの範囲で出力が変更可能になっている。高周波発生回路５２の出力は、制御回路５５からの出力制御信号によって制御される。
【００３３】
整合回路５３は、高周波発生回路５２と円盤電極３７，４７間に配置される負荷である患者Ｐとのインピーダンス整合を行う電気回路であって、制御回路５５から調整可能となっている。
【００３４】
高周波電力計５４は、円盤電極３７，４７間の生体１００に供給される高周波電力を計測する装置である。高周波電力計５４は、円盤電極３７，４７への入射電力Ｐｉと円盤電極３７，４７からの反射電力Ｐｒを検出し、入射電力Ｐｉと反射電力Ｐｒとの差を算出することにより、負荷である生体１００側に供給された供給電力Ｐｓを求める。供給電力Ｐｓの値は、制御回路５５を介してコンソール６０へ送られて画面表示される。
【００３５】
制御回路５５は、中央演算装置（ＣＰＵ）やＲＯＭ、ＲＡＭ、ハードディスク等の記憶部を有するコンピュータを備えた装置であって、コンソール６０からの入力に応じて電源回路５１、高周波発生回路５２、整合回路５３を制御する。
【００３６】
すなわち、制御回路５５は、コンソール６０からの起動指令によって電源回路５１を起動する。また、制御回路５５は、最大出力を超えないように高周波発生回路５２の出力制御を行う。
【００３７】
また、制御回路５５は、整合回路５３の調整を行う処理や、高周波電力計５４から受け取った供給電力Ｐｓの値をコンソール６０へ送る処理を行う。更に、制御回路５５は、冷却パッド３８，４８へ冷却水を循環させるための図示しないポンプを動作制御する処理を行う。
【００３８】
コンソール６０は、医師等の操作者による入力操作や各種表示を行うための入出力装置であって、例えば、タッチパネル装置によって構成される。すなわち、コンソール６０を介して操作者より入力された情報は制御回路へ送られ、制御回路から送られる各種の出力が画面表示される。
【００３９】
遮蔽部材７０は、寝台１０全体をドーム状に覆って一対の円盤電極３７，４７からの漏洩電波を遮蔽する部材であり、ガントリ３０の収納部３２へ軸方向に挿通されて取り付けられている。遮蔽部材７０は、断面円弧状の金網７１と、所定間隔で配列された複数の円弧状の芯材７２とからなる蛇腹構造を有している。この蛇腹構造は、芯材７２が設けられる山折り部分と、隣り合う芯材７２同士の中間の谷折り部分とが、軸方向に交互に形成されて軸方向に伸縮自在に構成されたものである。芯材７２は、金属製の線材を円弧状に加工したものや、樹脂成形によって円弧状としたものを用いることができる。また、遮蔽部材７０は、軸方向両端から数本の芯材７２が幅方向両側の下端において、それぞれヒンジ７３によって回動可能に軸支されており、側面視扇形に開閉可能となっている。
【００４０】
遮蔽部材７０は、使用時には図４に示すように、軸方向へ伸ばした状態とされて略円筒ドーム状となって寝台１０全体を覆う。このとき、一対の円盤電極３７，４７を含む上部電極アタッチメント３６及び下部電極アタッチメント４６と寝台１０上の患者１００のみが、遮蔽部材７０と寝台１０上面とで囲まれたドーム状空間の内側に存在し、それ以外は当該ドーム状空間の外側に存在することになる。従って、遮蔽部材７０は、寝台１０全体をドーム状に覆って円盤電極３７，４７からの漏洩電波を遮蔽するので、円盤電極３７，４７から発生する漏洩電波が周囲に拡散して電子機器や人体へ悪影響を及ぼすことを防止できる。
【００４１】
一方、遮蔽部材７０は、非使用時には図６に示すように、軸方向に縮めた状態とされてガントリ３０の軸方向厚み以下のコンパクトな形状となって収納部３２内に収納される。すなわち、遮蔽部材７０が蛇腹構造を有するので、非使用時に折り畳んでコンパクトな形状に変形させることができ、その折り畳んだ状態でガントリ３０の収納部３２に省スペースで収納することができる。
【００４２】
尚、図５は、遮蔽部材７０を図６の状態から図４の状態へ伸ばす途中の状態、又は図４の状態から図６の状態へ縮める途中の状態を示している。
【００４３】
以上詳述したことから明らかなように、本実施形態の高周波温熱治療装置１は、患者１００を乗せる寝台１０と、寝台１０を出し入れ可能な開口部３１ａを有するガントリ３０と、開口部３１ａを挟んでガントリ３０に支持される一対の円盤電極３７，４７と、を備え、一対の円盤電極３７，４７間に高周波電力を印加し、誘電加熱によって患部１０１を温熱治療するものであって、寝台１０全体をドーム状に覆って円盤電極３７，４７からの漏洩電波を遮蔽する遮蔽部材７０を備えている。
【００４４】
この構成によれば、遮蔽部材７０が寝台１０全体をドーム状に覆って円盤電極３７，４７からの漏洩電波を遮蔽するので、円盤電極３７，４７から発生する漏洩電波が周囲に拡散して電子機器や人体へ悪影響を及ぼすことを防止できるという効果を奏する。
【００４５】
また、遮蔽部材７０は、非使用時にコンパクトな形状に変形可能である。
【００４６】
この構成によれば、遮蔽部材７０をコンパクトな形状に変形させることで、非使用時に遮蔽部材７０が邪魔にならないという効果を奏する。
【００４７】
また、ガントリ３０は、遮蔽部材７０を変形させた状態で収納可能な収納部３２を有する。
【００４８】
この構成によれば、遮蔽部材７０をコンパクトな形状に変形させた状態で、ガントリ３０の収納部３２に収納することができるという効果を奏する。
【００４９】
また、収納部３２は、ガントリ３０の開口部３１ａの径外側に形成された軸方向視で円弧状の内部空間であり、遮蔽部材７０は、非使用時に軸方向視で円弧状且つ軸方向の長さを縮めた形状に変形させた状態で収納部３２に収納可能である。
【００５０】
この構成によれば、ガントリ３０において収納部３２を省スペースで設けることができると共に、遮蔽部材７０を非使用時に軸方向視で円弧状且つ軸方向の長さを縮めたコンパクトな形状に変形させた状態で、ガントリ３０の収納部３２に収納することができるという効果を奏する。
【００５１】
また、遮蔽部材７０は、折り畳み可能な蛇腹構造を有し、ガントリ３０は、遮蔽部材７０を折り畳んだ状態で収納部３２に収納可能であるという効果を奏する。
【００５２】
この構成によれば、遮蔽部材７０が蛇腹構造を有するので、非使用時に折り畳んでコンパクトな形状に変形させることができ、その折り畳んだ状態でガントリ３０の収納部３２に省スペースで収納することができるという効果を奏する。
【００５３】
また、遮蔽部材７０は、金網７１を有して構成されている。
【００５４】
この構成によれば、遮蔽部材７０が金網７１を有して構成されているので、簡単な構造で漏洩電波を遮蔽することができると共に、操作者が寝台１０上の患者の様子を観察したり患者と会話したりする際に支障が無いという効果を奏する。
【００５５】
尚、本発明は、上述した実施の形態に限定されるものではなく、本発明の主旨を逸脱しない範囲で種々に変更を施すことが可能である。
【００５６】
上記実施形態では、遮蔽部材７０が蛇腹構造を有する例を示したが、これには限られない。遮蔽部材７０は、折り畳みや巻き取り等によりコンパクトな形状に変形させて収納部３２に収納可能な構造であれば、いかなる構成でも構わない。
【符号の説明】
【００５７】
１    高周波温熱治療装置
１０    寝台
３０    ガントリ
３１ａ  開口部
３２    収納部
３７    円盤電極（電極）
４７    円盤電極（電極）
７０    遮蔽部材
７１    金網
１００    患者
１０１    患部
【図１】
2018126433.tif 000003
【図２】
2018126433.tif 000004
【図３】
2018126433.tif 000005
【図４】
2018126433.tif 000006
【図５】
2018126433.tif 000007
【図６】
2018126433.tif 000008